Podtech/llm-jp-corpus-v4-ja_patent huggingface dataset:
【手続補正書】
【提出日】平成18年7月4日(2006.7.4)
【手続補正１】
【補正対象書類名】明細書
【補正対象項目名】特許請求の範囲
【補正方法】変更
【補正の内容】
【特許請求の範囲】
【請求項１】  水性希釈剤中に、α及びβサブユニットを含むＦＳＨ又はＦＳＨ変異体、並びにフェノール、ｍ−クレゾール、ｐ−クレゾール、ｏ−クレゾール、クロロクレゾール、ベンジルアルコール、アルキルパラベン、塩化ベンザルコニウム、塩化ベンゼトニウム、デヒドロ酢酸ナトリウム、チメロサールおよびそれらの混合物よりなる群から選択される保存剤を含む製剤。
【請求項２】  保存剤がフェノール、ｍ−クレゾール、クロロクレゾール、又はそれらの混合物であり、ＦＳＨ又はＦＳＨ変異体の濃度が約１．０μｇ／ｍｌ〜約５０ｍｇ／ｍｌであり、製剤が更に等張剤および生理学的に受容できる緩衝剤を含む請求項１に記載の製剤。
【請求項３】  ＦＳＨ又はＦＳＨ変異体の濃度が約５．０μｇ／ｍｌ〜約２ｍｇ／ｍｌであり、等張剤が塩化ナトリウムであり、生理学的に受容できる緩衝剤がリン酸塩緩衝剤である請求項２に記載の製剤。
【請求項４】  ＦＳＨ又はＦＳＨ変異体が以下のものよりなる群から選択される少なくとも１つの化合物である請求項１〜３のいずれかに記載の製剤。
【化１】
2002521342.tif 000001
【化２】
2002521342.tif 000002
【請求項５】  ＦＳＨ変異体を含む請求項１〜４のいずれかに記載の製剤。
【請求項６】  化合物：
2002521342.tif 000003
を含む請求項１〜４のいずれかに記載の製剤。
【請求項７】  
ヒトＦＳＨ：
2002521342.tif 000004
を含む請求項１〜４のいずれかに記載の製剤。
【請求項８】  不妊症を処置する方法であって、その必要のある患者に請求項１〜７のいずれかに記載の製剤を投与することを含む方法。
【請求項９】  請求項１〜７のいずれかに記載の製剤を製造する方法であって、ＦＳＨ又はＦＳＨ変異体、及びフェノール、ｍ−クレゾール、ｐ−クレゾール、ｏ−クレゾール、クロロクレゾール、ベンジルアルコール、アルキルパラベン、塩化ベンザルコニウム、塩化ベンゼトニウム、デヒドロ酢酸ナトリウム、チメロサールおよびそれらの混合物よりなる群から選択される保存剤を水性希釈剤中で混合することを含む方法。
【請求項１０】  包装材料、および請求項１〜７のいずれかに記載の製剤を含むバイアルを含むヒトの医薬用途の製品であって、該包装材料は、該溶液が２４時間以上の期間にわたって保持され得ることを示すラベルを含む製品。
【請求項１１】  包装材料、α及びβサブユニットを含む凍結乾燥したＦＳＨ又はＦＳＨ変異体を含む第一バイアル、及び保存剤溶液を含む第二バイアルを含む製品であって、該包装材料は、２４時間以上の期間にわたる使用のため凍結乾燥したＦＳＨ又はＦＳＨ変異体を保存剤溶液中で再構築することを患者に指示するラベルを含み、再構築は請求項１〜７のいずれかに記載の製剤を製造する製品。
【手続補正書】
【提出日】平成18年7月24日(2006.7.24)
【手続補正１】
【補正対象書類名】明細書
【補正対象項目名】特許請求の範囲
【補正方法】変更
【補正の内容】
【特許請求の範囲】
【請求項１】  LEV構造タイプ結晶性分子ふるいのコロイド懸濁液。
【請求項２】  LEV粒子の平均粒度が5〜1000 nmの範囲内である請求の範囲第1項記載の懸濁液。
【請求項３】  上記粒度範囲が10〜300 nmである請求の範囲第2項記載の懸濁液。
【請求項４】  上記粒度範囲が20〜100 nmである請求の範囲第3項記載の懸濁液。
【請求項５】  LEVの平均粒度が大きくても100 nmである請求の範囲第1項記載の懸濁液。
【請求項６】  LEV結晶性分子ふるいを生成させるのに必要な各元素を含有する合成混合物を処理することによってLEV構造タイプの結晶性分子ふるいを合成し、得られたLEV結晶性分子ふるい生成物を上記合成混合物から分離し、生成物を洗浄し、得られた洗浄液を回収することを特徴とする前記請求の範囲のいずれか1項記載の懸濁液の製造方法。
【請求項７】  回収洗浄液が、2回目またはその後の洗浄から得られる液である請求の範囲第6項記載の方法。
【請求項８】  請求の範囲第6項または第7項記載の方法の生成物。
【請求項９】  請求の範囲第1項〜第5項のいずれか1項記載の懸濁液から回収した、或いは請求の範囲第6項または第7項記載の方法によって調製し洗浄液から分離したコロイド状LEV結晶。
【請求項１０】  結晶性分子ふるいを生成させるのに必要な各元素とコロイド状LEV結晶性分子ふるいシードとを含む合成混合物を、所望の分子ふるいを生成させるのに適する時間と温度で処理することを特徴とする結晶性分子ふるいの製造方法。
【請求項１１】  所望の分子ふるいがLEV構造タイプを有する請求の範囲第10項記載の方法。
【請求項１２】  所望の分子ふるいがレビネ、ZK-20、NU-3またはZSM-45である請求の範囲第11項記載の方法。
【請求項１３】  LEV以外の第1構造タイプの分子ふるいを生成させるのに必要な各元素とコロイド状LEV分子ふるいシード結晶とを含む合成混合物を、上記第1構造タイプの分子ふるいを生成させるのに十分な時間と適切な温度で処理することを特徴とする結晶性分子ふるいの製造方法。
【請求項１４】  コロイド状LEV構造タイプシードを、MFS、CHA、OFF、MOR、FER、MAZ、EUOまたはERI/OFF構造タイプの結晶性分子ふるいの製造において使用する請求の範囲第13項記載の方法。
【請求項１５】  製造する結晶性分子ふるいが、カバザイト、CHA構造タイプのリン含有分子ふるい、モルデナイト、フェリエライト、リンデゼオライトT、マザイト、オフレタイト、ZSM-57、ZSM-38またはZSM-50である請求の範囲第14項記載の方法。
【請求項１６】  LEV構造タイプ以外の分子ふるいを製造するのに適する合成混合物を熱処理することによるLEV構造タイプ以外の結晶性分子ふるいの合成における、生成物の形態を調整するためのコロイド状LEV分子ふるいシード結晶の使用。
【請求項１７】  コロイド状LEVシードを用いて円盤状形態のリンデゼオライトTを製造する請求の範囲第16項記載の使用。
【請求項１８】  結晶性分子ふるいの合成における、得られる結晶性分子ふるいの特性を調整するためのコロイド状LEVシード結晶の使用。
【請求項１９】  上記特性が純度、粒度または粒度分布である請求の範囲第18項記載の使用。
【請求項２０】  結晶性分子ふるいの合成における、有機構造特異化剤の実質的不存在下で結晶性分子ふるいの製造を容易にするため、或いは生成物の生成を促進させるためのコロイド状LEVシード結晶の使用。
【請求項２１】  請求の範囲第10項〜第20項のいずれか1項記載の方法または使用によって製造した結晶性分子ふるい。
【請求項２２】  触媒として、或いは分離または吸収媒体としての用途に適する化学形態の請求の範囲第21項記載の結晶性分子ふるい。
【請求項２３】  請求の範囲第22項記載のふるいを用いて実施する炭化水素の転換、分離または吸収。
【請求項２４】  請求の範囲第22項記載のふるいを用いる酸素添加物の転換。
【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】  少なくとも１つの透明な有機組成物をその透明度を実質的に減少させずに配合することができる無機粒子であって、
（ａ）５５パーセントより大きい結晶化度を有する、分散助剤を付着させたチタンベースの酸化物粒子、
（ｂ）約４ナノメートルより大きく約２０ナノメートルより小さい微結晶の直径、及び
（ｃ）コロイドとして約３．００未満の吸光率、を含む無機粒子。
【請求項２】  分散性の結晶性金属酸化物ナノ粒子の作製方法であって、
（ａ）金属アルコキシドを提供する工程、
（ｂ）該金属アルコキシドを錯化剤の亜当量と反応させる工程、
（ｃ）水の亜当量を添加することによって工程（ｂ）の生成物を部分的に加水分解する工程、及び
（ｄ）微結晶の直径が約４ナノメートルより大きく約２０ナノメートルより小さい、結晶化度が５５パーセントより大きい結晶性粒子を形成するのに十分な時間、約１５０℃〜約２６５℃の範囲の温度で加圧しながら加熱することによって、該部分的に加水分解された混合物を熱処理する工程、を含む方法。
【手続補正書】
【提出日】平成18年7月27日(2006.7.27)
【手続補正１】
【補正対象書類名】特許請求の範囲
【補正対象項目名】請求項３９
【補正方法】変更
【補正の内容】
【請求項３９】
請求項２６、請求項２７または請求項２８に記載の使用であって、前記ポリペプチドの分子量が約２，０００〜約４０，０００ダルトンである使用。
【手続補正書】
【提出日】平成18年6月22日(2006.6.22)
【手続補正１】
【補正対象書類名】明細書
【補正対象項目名】特許請求の範囲
【補正方法】変更
【補正の内容】
【特許請求の範囲】
【請求項１】  式IIまたは式IIIを有する化合物またはその薬学的に許容される塩、
【化１】
2002521334.tif 000001
式中、Ｒ1、Ｒ2、Ｒ3、Ｒ4、Ｒ5、Ｒ6、Ｒ7及びＲ8は独立にＨ、アルキル、１〜６ハロゲン原子で置換されたアルキル、ＮＯ2、ＣＮ、ハロゲン、ＣＯＲ'、ＣＯＯＲ'またはＣＯＮＨＲ'（Ｒ'はＨまたはアルキル）（前記アルキルは１〜６炭素原子を有する）を表し、
Ｘは直鎖、分岐鎖または環状アルキル基、アルケニル基またはアルキニル基（前記各基は２〜１２炭素原子を有する）を表し、
Ｙは以下から選択される：
(ａ) Ｒ9、−ＮＲ9Ｒ10、−+ＮＲ9Ｒ10Ｒ11、−ＮＨＣＯＲ9、＝Ｎ−Ｏ−Ｒ9；−ＣＯＮＨＲ9，−ＣＯＯＲ9、−ＣＯ−Ｒ9，−ＯＲ9（式中、Ｒ9、Ｒ10及びＲ11は独立にＨ、１〜７炭素原子を有する直鎖、分岐鎖または環状アルキル；またはＲ9はＲ10と共に３〜７炭素原子を有する環状アルキル基を形成する）；
(ｂ) −Ｎ3、−ＣＮ、ハロゲン、−ＮＯ2；−ＮＲ”ＳＯ2Ｒ'''、−ＳＲ”、−ＳＯＲ”、−ＳＯ2Ｒ”、−ＳＯ2ＮＲ”、
【化２】
2002521334.tif 000002
(式中、Ｒ”及びＲ'''は独立に、水素、Ｃ1−Ｃ6アルキル、フェニル、または１〜６ハロゲン原子またはＣ1−Ｃ6アルキル基で置換されたフェニル)；
(ｃ) フェニル、またはジオキソラン、ピリジン、ピロール、チオフェン、ピロリジン、若しくはピペリジンから選択される複素環（該フェニルは１〜６ハロゲン原子若しくはＣ1−Ｃ6アルキル基で任意に置換されている）；
またはＸとＹは一緒になって、−ＣＨ2Ｐｈ、−ＣＨ2ＣＯＰｈ、−ＣＨ2ＣＨＯＨＰｈ、
【化３】
2002521334.tif 000003
（式中、ｎは１または２、ＲはＣ1−Ｃ4アルキル及びＰｈはフェニル）を表し；
Ｚは−(ＣＲ12Ｒ13)ｎ−（式中、ｎは１〜４、及びＲ12及びＲ13は独立にＨ、直鎖、分岐鎖または環状Ｃ1−Ｃ6アルキル）を表す；
但し、Ｒ2がＨ、Ｃｌ、ＣＦ3、ＣＨ3ＣＯまたはＮＯ2の場合には、Ｒ1、Ｒ3、Ｒ4、Ｒ5、Ｒ6、Ｒ7及びＲ8は同時にＨではなく；Ｚは(ＣＨ2)ｎ（ｎは１〜３）ではなく；Ｘは(ＣＨ2)ｚ（ｚは２または３）ではなく；ＹはＮ(ＣＨ3)2またはＮ(Ｃ2Ｈ5)2ではなく、またはＸ及びＹは一緒になって
【化４】
2002521334.tif 000004
を表さず；
さらにＸ及びＹが一緒になって−ＣＨ2ＣＨ(ＣＨ3)2である場合には、ＺはＣＨ2ではなく、及びＲ1、Ｒ2、Ｒ3、Ｒ4、Ｒ5、Ｒ6、Ｒ7及びＲ8は各々同時にＨではない。
【請求項２】  Ｒ1、Ｒ3、Ｒ4、Ｒ5、Ｒ6、Ｒ7及びＲ8はそれぞれＨであり；Ｒ2はＨ、Ｃ1−Ｃ3アルキル、１〜６ハロゲン原子で置換されたＣ1−Ｃ3アルキル、ＮＯ2、ＣＮ、ハロゲン、ＣＯＲ'、ＣＯＯＲ'またはＣＯＮＨＲ'（Ｒ'はＨまたはＣ1−Ｃ3アルキル）であり；
Ｘは−(ＣＨ2)2−または−(ＣＨ2)3であり；
Ｙは下記から選択される：
(ａ) Ｈ、直鎖、分岐鎖または環状Ｃ1−Ｃ7アルキル；−ＮＲ9Ｒ10、−+ＮＲ9Ｒ10Ｒ11、−ＮＨＣＯＲ9、−ＣＯ−Ｒ9，−ＯＲ9（式中、Ｒ9及びＲ10は独立にＨ、直鎖または分岐鎖Ｃ1−Ｃ3アルキル；またはＲ9はＲ10と共に５〜７炭素原子を有する環状アルキル基を形成する）；
(ｂ)−ＮＨＳＯ2Ｒ”、−ＳＲ”、−ＳＯＲ”、−ＳＯ2Ｒ”(式中、Ｒ”はＣ1−Ｃ3アルキル)；
またはＸとＹは一緒になって、−ＣＨ2ＣＯＰｈ、−ＣＨ2ＣＨＯＨＰｈ、
【化５】
2002521334.tif 000005
（式中、ＲはＣ1−Ｃ3アルキル）を表し；及び
ＺはＣＨ2である、請求項１記載の化合物。
【請求項３】  Ｒ1、Ｒ3、Ｒ4、Ｒ5、Ｒ6、Ｒ7及びＲ8はそれぞれＨであり；Ｒ2はＨまたはハロゲンであり；
Ｘは−(ＣＨ2)2−または−(ＣＨ2)3であり；
Ｙは下記から選択される：
(ａ) Ｈ、直鎖、分岐鎖または環状Ｃ1−Ｃ7アルキル；−ＮＲ9Ｒ10、−+ＮＲ9Ｒ10Ｒ11、−ＣＯ−Ｒ9，または−ＯＲ9（式中、Ｒ9及びＲ10は独立にＨ、直鎖または分岐鎖Ｃ1−Ｃ3アルキル；またはＲ9はＲ10と共に５〜７炭素原子を有する環状アルキル基を形成する）；
(ｂ)−ＳＲ”、−ＳＯＲ”、または−ＳＯ2Ｒ”(式中、Ｒ”はＣＨ3)；
またはＸとＹは一緒になって、−ＣＨ2ＣＯＰｈまたは−ＣＨ2ＣＨＯＨＰｈを表し；
ＺはＣＨ2である、請求項１記載の化合物。
【請求項４】  治療学的に有効量の、請求項１〜３のいずれか一項に記載の式II若しくは式IIIの化合物またはその薬学的に許容される塩である抗ＲＳＶ化合物と、薬学的に許容されるキャリアーとを含む医薬組成物。
【請求項５】  ＲＳＶに感染した哺乳類の治療用である、請求項４記載の医薬組成物。
【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】
少なくとも１種の活性物質と少なくとも１種の熱可塑性シクロオレフィン共重合体を含んで成る、活性物質の制御放出のための微小粒子。
【請求項２】
シクロオレフィン重合体がノルボルネン−エチレン共重合体および／またはテトラシクロドデセン−エチレン共重合体である、請求項１に記載の微小粒子。
【請求項３】
活性物質がマトリックス中に埋入されている、請求項１または２に記載の微小粒子。
【請求項４】
１〜１０００μｍの平均直径を有する、請求項１〜３のいずれか１項に記載の微小粒子。
【請求項５】
１００〜６００μｍの平均直径を有する、請求項１〜４のいずれか１項に記載の微小粒子。
【請求項６】
少なくとも１種の調合助剤または他の助剤を含んでいる、請求項１〜５のいずれか１項に記載の微小粒子。
【請求項７】
使用される調合助剤が珪藻土から成る、請求項６に記載の微小粒子。
【請求項８】
１種または２種以上の活性物質をさらに含んでいる、請求項１〜７のいずれか１項に記載の微小粒子。
【請求項９】
１種または２種以上の農薬または製剤物質をさらに含んでいる、請求項１〜７のいずれか１項に記載の微小粒子。
【請求項１０】
混練および／または押出と粉砕とによって得られる、請求項１〜９のいずれか１項に記載の微小粒子。
【請求項１１】
シクロオレフィン共重合体の重量平均モル質量が１〜１０，０００ｋｇ／モルである、請求項１〜１０のいずれか１項に記載の微小粒子。
【請求項１２】
シクロオレフィン共重合体の重量平均モル質量が１〜１２００ｋｇ／モルである、請求項１〜１１のいずれか１項に記載の微小粒子。
【請求項１３】
シクロオレフィン共重合体の粘度数が５〜１０００ｍＬ／ｇである、請求項１〜１２のいずれか１項に記載の微小粒子。
【請求項１４】
シクロオレフィン共重合体の粘度数が５〜３００ｍＬ／ｇである、請求項１〜１３のいずれか１項に記載の微小粒子。
【請求項１５】
シクロオレフィン共重合体のガラス転移温度が−２０〜２２０℃である、請求項１〜１４のいずれか１項に記載の微小粒子。
【請求項１６】
活性物質の制御放出のための、請求項１〜１５のいずれか１項に記載の微小粒子の使用。
【請求項１７】
農薬の制御放出のための、請求項１〜１５のいずれか１項に記載の微小粒子の使用。
【請求項１８】
製剤配合物としての、請求項１〜１５のいずれか１項に記載の微小粒子の使用。
【請求項１９】
農薬配合物としての、請求項１〜１５のいずれか１項に記載の微小粒子の使用。
【手続補正書】
【提出日】平成18年1月26日(2006.1.26)
【手続補正１】
【補正対象書類名】明細書
【補正対象項目名】特許請求の範囲
【補正方法】変更
【補正の内容】
【特許請求の範囲】
【請求項１】  基材を提供するステップと、
キレート化ポリマーおよび金属イオンを含む溶液を生成するステップと、
前記溶液を前記基材上に付着させるステップと、
前記基材を乾燥させて被覆基材を形成するステップと、
前記被覆基材に強化剤を加えて抗菌性物品を形成するステップと
を含む、抗菌性物品を製造する方法。
【請求項２】  キレート化ポリマーおよび金属イオンを含む溶液を生成するステップが、（Ａ）ポリグルコサミン類、エチレンアクリル酸コポリマー、ポリカルボン酸類、およびポリアミン類からなる群からキレート化ポリマーを選択するステップと、（Ｂ）前記キレート化ポリマーを酸に溶解して酸性溶液を生成するステップと、（Ｃ）前記金属イオンの水溶液を調製するステップと、（Ｄ）前記金属イオンの水溶液を前記酸性溶液と混ぜ合わせるステップとを含む、請求項１に記載の方法。
【請求項３】  前記ポリグルコサミンがキトサンである、請求項２に記載の方法。
【請求項４】  前記金属イオンの水溶液を調製するステップが、前記金属イオンの塩を選択するステップと、前記塩を水に溶解するステップとを含む、請求項２に記載の方法。
【請求項５】  前記金属イオンが、亜鉛、ジルコニウム、鉄および銅からなる群から選択される、請求項４に記載の方法。
【手続補正２】
【補正対象書類名】明細書
【補正対象項目名】００２０
【補正方法】変更
【補正の内容】
【００２０】
イオン／ポリマー溶液を基材上に付着させた後、室温または高い温度で、溶剤を除去するのに十分な時間、被覆基材を乾燥させる。溶剤を除去し、キレート化ポリマーを乾燥させ、処理した基材の上に適当なフィルムを形成するのには、約１０５℃〜約１２０℃の温度で作動させた従来の乾燥炉を使用して加熱することにより行われる乾燥で十分である。１２０℃より高い温度では、キレート化ポリマーの若干の変色が起きる可能性がある。１０５℃より低い温度では、乾燥速度は望ましくないほど遅い可能性がある。
【手続補正３】
【補正対象書類名】明細書
【補正対象項目名】００６３
【補正方法】変更
【補正の内容】
【００６３】
【表１】
2002521462.tif 000001
【手続補正書】
【提出日】平成18年6月28日(2006.6.28)
【手続補正１】
【補正対象書類名】明細書
【補正対象項目名】特許請求の範囲
【補正方法】変更
【補正の内容】
【特許請求の範囲】
【請求項１】  −式(II)のセチリジン
【化１】
2002521468.tif 000001
（式中、両アミン基が硝酸アニオンとイオン結合を形成する）
−  式(III)のロラタジン
【化２】
2002521468.tif 000002
−  式(IV)のテルフェナンジン
【化３】
2002521468.tif 000003
−  式(Ｖ)のエメダスチン
【化４】
2002521468.tif 000004
及びこれらの異性体からなる群から選択される化合物の硝酸塩。
【請求項２】  化合物が、式(II)のセチリジンである請求項１による硝酸塩。
【請求項３】  請求項１又は２による硝酸塩及び医薬的に受容可能な賦形剤又はキャリアを含んでなる医薬組成物。
【請求項４】  呼吸系病状、アレルギー又は喘息を治療するために使用される請求項３による医薬組成物。
【請求項５】  非全身投与により投与される形態である請求項３又は４による医薬組成物。
【請求項６】  エアロゾルとして投与される形態である請求項５による医薬組成物。
【請求項７】  局所投与可能な形態である請求項５による医薬組成物。
【手続補正書】
【提出日】平成18年7月4日(2006.7.4)
【手続補正１】
【補正対象書類名】明細書
【補正対象項目名】請求項３
【補正方法】変更
【補正の内容】
【請求項３】  Ｒ基、Ｒ2〜Ｒ6およびＹの少なくとも１つが、水溶液中での上記ジオキセタンの溶解度を改善する置換基を有する、請求項１記載の化合物。
【手続補正２】
【補正対象書類名】明細書
【補正対象項目名】請求項４
【補正方法】変更
【補正の内容】
【請求項４】  溶解度を改善する置換基の各々が、カルボン酸基、スルホン酸基、またはリン酸基である、請求項３記載の化合物。
【手続補正書】
【提出日】平成18年7月24日(2006.7.24)
【手続補正１】
【補正対象書類名】明細書
【補正対象項目名】請求項１７
【補正方法】変更
【補正の内容】
【請求項１７】 個体における免疫応答の顕現方法に使用される治療剤の製造のための、請求項１〜１６いずれか１つに記載のペプチドの使用。
【手続補正２】
【補正対象書類名】明細書
【補正対象項目名】請求項１８
【補正方法】変更
【補正の内容】
【請求項１８】 筋内、腹腔内、経口、経鼻および経皮からなる群より選ばれる投与経路により個体にペプチドを導入する請求項１７記載の使用。
【手続補正３】
【補正対象書類名】明細書
【補正対象項目名】請求項１９
【補正方法】変更
【補正の内容】
【請求項１９】 粘膜細胞へのＨＩＶの侵入の妨害方法に使用される治療剤の製造のための、請求項１２〜１６いずれか１つに記載のペプチドおよび担体または基剤を含んでなる薬物の使用。
【手続補正４】
【補正対象書類名】明細書
【補正対象項目名】請求項２０
【補正方法】変更
【補正の内容】
【請求項２０】 担体または基剤が、フォーム、ゲル、薬物を保持するのに充分に粘性のその他の物質、水および緩衝液からなる群より選ばれるものである請求項１９記載の使用。
【手続補正５】
【補正対象書類名】明細書
【補正対象項目名】請求項２１
【補正方法】変更
【補正の内容】
【請求項２１】 担体または基剤が膣坐剤または直腸坐剤である請求項１９または請求項２０記載の使用。
【手続補正６】
【補正対象書類名】明細書
【補正対象項目名】請求項２２
【補正方法】変更
【補正の内容】
【請求項２２】 ペプチドが膣、口または直腸に投与もしくは適用された直後または投与もしくは適用された後すぐに、該ペプチドが担体または基剤から放出される、請求項１９〜２１いずれか１つに記載の使用。
【手続補正７】
【補正対象書類名】明細書
【補正対象項目名】請求項２３
【補正方法】変更
【補正の内容】
【請求項２３】 ペプチドが膣、口または直腸に投与もしくは適用された後に徐々に、または投与もしくは適用された後、特定の期間の後に、該ペプチドが担体または基剤から放出される、請求項１９〜２１いずれか１つに記載の使用。
【手続補正８】
【補正対象書類名】明細書
【補正対象項目名】請求項２４
【補正方法】変更
【補正の内容】
【請求項２４】 薬物を、使用の条件下に該薬物の放出が可能となるような様式で避妊具の表面上に存在させるか、または避妊具内に組み込む、請求項１９記載の使用。
【手続補正９】
【補正対象書類名】明細書
【補正対象項目名】請求項２５
【補正方法】変更
【補正の内容】
【請求項２５】 薬物がｇｐ４１の立体配座変化を防ぎまたは減少させ、それにより、粘膜表面の細胞へのＨＩＶの侵入を妨げる、請求項１９〜２４いずれか１つに記載の使用。
【手続補正書】
【提出日】平成18年7月20日(2006.7.20)
【手続補正１】
【補正対象書類名】明細書
【補正対象項目名】特許請求の範囲
【補正方法】変更
【補正の内容】
【特許請求の範囲】
【請求項１】  ラセミ体の、または単離光学異性体としての、式（Ｉ）：
【化１】
2002521485.tif 000001
（式中、Ｒ＝Ｈ、Ｃｌ、Ｂｒ、Ｆ、Ｉ、Ｃ１-Ｃ４アルコキシ、Ｃ１-Ｃ４アルキルチオ、Ｃ１-Ｃ４アルキル、またはＣ５-Ｃ６シクロアルキルである；
Ｒ１＝ジアルキルアミン、４-アルキル-１-ピペラジニル、４-ヒドロキシアルキル-１-ピペラジニル、１-イミダゾリル、または４-アルキル-１-ピペリジニルである；
Ｒ２＝水素、Ｃ１-Ｃ４アルコキシ、またはＣ１-Ｃ４アルキルチオである）
の化合物または医薬上許容されるその塩。
【請求項２】  Ｒが塩素または水素であり、Ｒ１が４-メチル-１-ピペラジニル基であり、および、Ｒ２が水素である、請求項１記載の化合物。
【請求項３】  Ｒがフッ素、臭素または水素であり、Ｒ１が４-メチル-１-ピペラジニル基であり、およびＲ２が水素である、請求項１記載の化合物。
【請求項４】  （±）-９-（４-メチルピペラジン-１-イル）-９,１０-ジヒドロピロロ[２,１-ｂ][１，３]ベンゾチアゼピン。
【請求項５】  （±）-７-クロロ-９-（４-メチルピペラジン-１-イル）-９,１０-ジヒドロピロロ[２,１-ｂ][１,３]ベンゾチアゼピン。
【請求項６】  （+）-７-クロロ-９-（４-メチルピペラジン-１-イル）-９,１０-ジヒドロピロロ[２,１-ｂ][１,３]ベンゾチアゼピン。
【請求項７】  （±）-７-フルオロ-９-（４-メチルピペラジン-１-イル）-９,１０-ジヒドロピロロ[２,１-ｂ][１,３]ベンゾチアゼピン。
【請求項８】  （±）-７-フルオロ-９-（４-エチルピペラジン-１-イル）-９,１０-ジヒドロピロロ[２,１-ｂ][１,３]ベンゾチアゼピン。
【請求項９】  （±）-７-フルオロ-９-（４-ヒドロキシエチルピペラジン-１-イル）-９,１０-ジヒドロピロロ[２,１-ｂ][１,３]ベンゾチアゼピン。
【請求項１０】  （±）-７-ブロモ-９-（４-メチルピペラジン-１-イル）-９,１０-ジヒドロピロロ[２,１-ｂ][１,３]ベンゾチアゼピン。
【請求項１１】  フェニル基およびピロール基を含む誘導体の環化反応を含み、該環化が１,３チアゼピン環の形成を導く、請求項１-１０いずれか記載の化合物の調製法。
【請求項１２】  該環化反応の結果、ピロロベンゾチアゼピノンが生じ、該チアゼピン環上のケト基がラジカルＲ１の前記の定義から選択される基で置換されることにより、ピロロベンゾチアゼピノンが式（Ｉ）の誘導体に変換される、請求項１１記載の方法。
【請求項１３】  フェニル基およびピロール基を含む該誘導体が、１-[２-（メチルスルフィニル）フェニル]-２-（ピロール-１-イル）エタノンであり、該環化反応をトリフルオロ酢酸無水物およびジメチルホルムアミドの存在下で行う、請求項１１記載の方法。
【請求項１４】  フェニル基およびピロール基を含む該誘導体が、２-（フェニルチオ）ピロロ-１-セレノ酢酸のアルキルエステルであり、該環化反応をトリフレート銅（Ｉ）とベンゼンの結晶錯体の存在下で行う、請求項１１記載の方法。
【請求項１５】  光学活性の酸との塩化により得られるジアステレオ異性体塩の分別結晶化を用いる、対応する光学活性の異性体への請求項１-１０いずれかのラセミ体化合物の分割法。
【請求項１６】  治療における使用のための、ラセミ体または単一単離光学異性体としての請求項１-１０いずれか記載の化合物。
【請求項１７】  医薬上許容される賦形剤および／またはビヒクルを含み、精神病の治療に有効な他の活性成分を含んでいてもよい、ラセミ体または単一単離光学異性体としての請求項１-１０いずれかの少なくとも一つの化合物を含有する医薬組成物。
【請求項１８】  固体または液体形態の請求項１７記載の医薬組成物。
【請求項１９】  ラセミ体の、または単一単離光学異性体としての請求項１-１０いずれか記載の化合物を含む、精神病の治療および予防のための抗精神病医薬組成物。
【請求項２０】  該精神病が、精神分裂病、偏執性疾患、躁鬱状態、情緒障害、引きこもり、人格退行または幻覚の形態をとる請求項１９記載の医薬組成物。
【請求項２１】  Ｒが水素、フッ素、または臭素である、請求項１記載の化合物を含む、情緒および認識範囲に関わる精神分裂病のネガティブな症状の治療のための、請求項１９記載の医薬組成物。
【請求項２２】  該ネガティブな症状が痴呆の形態をとる請求項２１記載の医薬組成物。
【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】    裏打ち層と、裏打ち層に結合され、組合わせた活性物質の放出に適当で、かつ感圧性接着剤を用いて製造される活性物質含有レザバーと、及び剥離可能な保護層とからなり、感圧性接着剤が羊毛脂又はその成分及び亜鉛酸化物を含有することを特徴とする、エストラジオール又はその医薬的に受容な誘導体のみ、又はそのゲスタゲンとの組合わせの、ヒト又は動物の皮膚への制御放出用の活性物質含有パッチ。
【請求項２】    レザバーが、1〜30重量％の羊毛脂及び1〜30重量％の亜鉛酸化物を含有することを特徴とする請求項１による活性物質含有パッチ。
【請求項３】    レザバーが、エストラジオール又はその医薬的に受容な誘導体のみ、もしくはゲスタゲンとのその組合わせを、1〜20重量％、好ましくは1.5〜15重量％で含有することを特徴とする請求項１による活性物質含有パッチ。
【請求項４】    レザバーが、エストラジオール又はその医薬的に受容な誘導体のみ、もしくはゲスタゲンとのその組合わせを、1:1〜1:10のモル比で含有することを特徴とする請求項１〜３のいずれか１つによる活性物質含有パッチ。
【請求項５】    感圧性接着剤が、1〜50重量％の濃度で粘着付与樹脂を含むことを特徴とする請求項１〜４のいずれか１つによる活性物質含有パッチ。
【請求項６】    レザバーが、劣化防止剤、抗酸化剤及び吸収増強剤からなる群に属する少なくともひとつの成分を含有することを特徴とする請求項１〜５のいずれか１つによる活性物質含有パッチ。
【請求項７】    感圧性接着剤が、感圧性溶液接着剤、感圧性分散接着剤又は感圧性ホットメルト接着剤であることを特徴とする請求項１〜６のいずれか１つによる活性物質含有パッチ。
【請求項８】    裏打ち層が、レザバー成分に不浸透性であることを特徴とする請求項１〜７のいずれか１つによる活性物質含有パッチ。
【請求項９】    レザバーが幾つかの層からなり、別の活性物質を含有する感圧性接着層を備えていることを特徴とする請求項１〜８のいずれか１つによる活性物質含有パッチ。
【請求項１０】  活性物質放出制御膜が、レザバーと感圧性接着層との間にあることを特徴とする請求項１〜９のいずれか１つによる活性物質含有パッチ。
【請求項１１】  レザバーが、周囲に感圧性接着性の縁を備えていることを特徴とする請求項１〜１０のいずれか１つによる活性物質含有パッチ。
【請求項１２】  活性物質含有パッチの厚みが0.03〜0.6mmの範囲であることを特徴とする請求項１〜１１のいずれか１つによる活性物質含有パッチ。
【請求項１３】  化粧目的のための請求項１〜１２のいずれか１つによる活性物質含有パッチの使用。
【請求項１４】  ヒト又は獣医用医薬における治療用製品としての請求項１〜１２のいずれか１つによる活性物質含有パッチの使用。
【手続補正２】
【補正対象書類名】明細書
【補正対象項目名】０００８
【補正方法】変更
【補正の内容】
【０００８】
活性物質を十分に放出する再結晶化しないエストロゲン及び/又はゲスタゲン含有パッチは、レザバーにエストラジオールとその医薬的に受容な誘導体を、それのみで又はゲスタゲンと組み合わさって、レザバー成分の全体に対して全部で1〜20重量％の濃度、実際には1:1〜1:10のモル比で含有する。
エストラジオール含有レザバーは、劣化防止剤、可塑剤、抗酸化剤及び吸収増強剤からなる群に属する少なくとも１つの成分を含んでいてもよい。適当な可塑剤は当業者に公知であり、例えばDE 37 43 946号に記載されている。エストラジオール含有レザバーは、通常5重量％までの可塑剤を含む。
さらに、レザバーは、1重量％までの濃度の劣化防止剤を含む。これらは当業者に公知であり、例えばDE 37 43 946号に記載されている。
【手続補正書】
【提出日】平成18年7月19日(2006.7.19)
【手続補正１】
【補正対象書類名】明細書
【補正対象項目名】特許請求の範囲
【補正方法】変更
【補正の内容】
【特許請求の範囲】
【請求項１】  眼の休止状態を回復し、正常な実性および虚性調節を可能にするために、副交感神経性／コリン作用性／毛様体緊張性収縮を亢進または減弱する医薬組成物であって、ムスカリン性受容体拮抗剤を含有し、老視患者に有効量で投与する医薬組成物。
【請求項２】  眼に局所投与する請求項１に記載の医薬組成物。
【請求項３】  ムスカリン性受容体拮抗剤を、毛様体筋のＭ１受容体に作用するよう選択する請求項２に記載の医薬組成物。
【請求項４】  ムスカリン性受容体拮抗剤を、ピレンゼピン、テレンゼピンおよび（Ｍ１／Ｍ４）トリヘキシフェニジルから成る群から選択する請求項３に記載の医薬組成物。
【請求項５】  ムスカリン性受容体拮抗剤を、毛様体筋のＭ２受容体に作用するよう選択する請求項２に記載の医薬組成物。
【請求項６】  ムスカリン性受容体拮抗剤を、(＋)(１１−（{２−[ジエチルアミノメチル]−１−ピペリジニル}アセチル）−５,１１−ジヒドロ−６Ｈ−ピリド(２,３−ｂ)(１,４)ベンゾジアゼピン−６−オン、および(＋)５,１１  ジヒドロ−１１−{[２−[ジプロピルアミノ)メチル]−１−ピペリジニル)アミノ]カルボニル}−６Ｈ−ピリド(２,３−ｂ)(１,４)ベンゾジアゼピン−６−オンから成る群から選択する請求項５に記載の医薬組成物。
【請求項７】  ムスカリン性受容体拮抗剤を、毛様体筋のＭ３受容体に作用するよう選択する請求項２に記載の医薬組成物。
【請求項８】  ムスカリン性受容体拮抗剤を、ジフェニルアセトキシ−Ｎ−メチルピペリジン メチオジド、および(＋)ｐ−フルロ−ヘキサヒドロ−シラ−ジフェニドール ヒドロクロリドから成る群から選択する請求項７に記載の医薬組成物。
【請求項９】  ムスカリン性受容体拮抗剤を、毛様体筋のＭ４受容体に作用するよう選択する請求項２に記載の医薬組成物。
【請求項１０】  ムスカリン性受容体拮抗剤を、ピレンゼピンおよびテレンゼピンから成る群から選択する請求項９に記載の医薬組成物。
【手続補正書】
【提出日】平成18年7月21日(2006.7.21)
【手続補正１】
【補正対象書類名】明細書
【補正対象項目名】特許請求の範囲
【補正方法】変更
【補正の内容】
【特許請求の範囲】
【請求項１】  有効量の医薬活性化合物ならびに一酸化二窒素および下記一般式：
ＣｘＨｙＦｚ            （Ｉ）
（式中、ｘは１、２または３であり、ｙおよびｚは各々≧１の整数であり、ｙ＋ｚ＝２ｘ＋２である）
のヒドロフルオロアルカンを含有する加圧液化推進混合物を含有する、医薬用エーロゾル製剤。
【請求項２】  製剤の全重量を基準に、少なくとも３０重量％の式Ｉのヒドロフルオロアルカンを含有する、請求項１のエーロゾル製剤。
【請求項３】  式Ｉのヒドロフルオロアルカンが、１,１,１,２−テトラフルオロエタン、１,１,１,２,３,３,３−ヘプタフルオロプロパンおよび１,１,１,２,３,３,３−ヘプタフルオロプロパン存在のもとでの１,１,１,２−テトラフルオロエタン、からなる群から選択される、請求項１記載のエーロゾル製剤。
【請求項４】  ２０℃で３−１０バールの圧を有する、請求項１−４のエーロゾル製剤。
【請求項５】  二酸化炭素をさらに含有する、請求項１のエーロゾル製剤。
【請求項６】  製剤の全重量を基準に、少なくとも０.０００１重量％の一酸化二窒素を含有する、請求項１のエーロゾル製剤。
【請求項７】  製剤の全重量を基準に、０.０１−４０重量％の共溶媒を含有する、請求項１のエーロゾル製剤。
【請求項８】  界面活性剤をさらに含有する、請求項１のエーロゾル製剤。
【請求項９】  医薬活性化合物が、サルブタモール、ホルモテロール、サルメテロール、フルチカゾン、ブデソニド、シクレソニド、グリコピロニウム、チオトロピウム、クロモグリク酸、ネドクロミル、モメタゾン、シルデナフィル、ベクロメタゾン、レバルブテロール、それらの薬学的に許容し得る塩およびそれらの誘導体からなる群から選択される、請求項１のエーロゾル製剤。
【手続補正２】
【補正対象書類名】明細書
【補正対象項目名】００１１
【補正方法】変更
【補正の内容】
【００１１】
この問題を解消するために、ＣＦＣ含有製剤ですでに前から行われているように、界面活性剤を加える。あるいは、ある場合には、種々の手段で表面の性質を変えると（例えば、コーティング）、これらの望ましくない作用を少なくするのに役立ち得る。しかし、オレイン酸、トリオレイン酸ソルビタン、レシチンなどの界面活性剤は、ＨＦＡ１３４ａやＨＦＡ２２７などのヒドロフルオロアルカンに適切に溶解しないので、多くの場合、製薬技術上の問題をよりよく制御できるように、エタノールを共溶媒として加える、または加えねばならない。
【手続補正書】
【提出日】平成18年7月19日(2006.7.19)
【手続補正１】
【補正対象書類名】明細書
【補正対象項目名】特許請求の範囲
【補正方法】変更
【補正の内容】
【特許請求の範囲】
【請求項１】  気体透過性膜であって、
（ａ）気体透過性基材と、
（ｂ）微小孔性フィルム上の高分子コーティングとを含み、該高分子コーティングは、少なくとも５Ｊ／ｇの融解熱ΔＨを有するブロック共重合体を含み、該ブロック共重合体は、
（ｉ）ポリシロキサン高分子ブロックと、
（ｉｉ）−５℃〜４０℃の融点Ｔｐを有する結晶性高分子ブロックを含む、気体透過性膜。
【請求項２】  請求項１に記載の膜であって、
（１）気体透過性基材が微小孔性フィルムであり、
（２）前記ブロック共重合体が、１５から６０％のポリシロキサンブロックを含み、
（３）前記結晶性高分子ブロックが、側鎖結晶性高分子ブロックである、膜。
【請求項３】  請求項１または２に記載の膜であって、Ｔｐが０から１５℃、ΔＨが少なくとも１０Ｊ／ｇ、Ｔｐ−Ｔｏが１０℃未満（ここで、Ｔｏは融解開始温度）である、膜。
【請求項４】  請求項１ないし３のいずれか１項に記載の膜であって、ブロック高分子の被覆重量が、１０〜２０ｇ／ｍ２である、膜。
【請求項５】  空気中で保存される包装材であって、（ａ）シールされた容器と、（ｂ）シールされた容器内に、呼吸する生物生産物および生物生産物周囲の包装雰囲気を含み、該シールされた容器は、酸素および二酸化炭素が包装雰囲気に出入りするための実質的に唯一の経路を提供する１つ以上の透過性制御部分を含み、少なくとも１つの該透過性制御部分が、請求項１ないし４のいずれか１項に記載される気体透過性膜である、包装材。
【手続補正書】
【提出日】平成18年6月7日(2006.6.7)
【手続補正１】
【補正対象書類名】明細書
【補正対象項目名】特許請求の範囲
【補正方法】変更
【補正の内容】
【特許請求の範囲】
【請求項１】  第１組の乳頭カップ及び第２組の乳頭カップを含む動物を搾乳するための装置であって、前記第１組の乳頭カップが少なくとも二つの同じサイズ又は形状の乳頭カップを含み、前記第２組の乳頭カップが少なくとも二つの同じサイズ又は形状の乳頭カップを含む場合において、前記乳頭カップの各々が延長され、脈動空間を形成する可撓性ライナー及び硬質シェルを含み、前記ライナーが一端で乳頭を受け第２端で抽出された搾乳を出すように適応され、第１組の乳頭カップが第１サイズ又は形状の乳頭カップを含み、第２組の乳頭カップが第２サイズ又は形状の乳頭カップを含み、第１サイズ又は形状が第２サイズ又は形状とは異なることを特徴とする装置。
【請求項２】  前記第１組の乳頭カップのライナーが脈動空間において縦方向の範囲を有し、その縦方向の範囲が第２組の乳頭カップのライナーの縦方向の範囲とは異なる請求項１記載の装置。
【請求項３】  前記第１組の乳頭カップの乳頭カップのシェルが縦方向の範囲を有し、その縦方向の範囲が第２組の乳頭カップのシェルの縦方向の範囲とは異なる請求項１又は２記載の装置。
【請求項４】  前記ライナーが予め決められた直径の開口を規定する薄いリップ状部材を与えられ、第１組の乳頭カップのライナーが第２組の乳頭カップのライナーの開口とは異なる開口を有する請求項１〜３のいずれか記載の装置。
【請求項５】  前記リップ状部材が予め決められた可撓性を有し、第１組の乳頭カップのライナーの前記可撓性が第２組の乳頭カップのライナーのそれとは異なる請求項４記載の装置。
【請求項６】  前記第１及び第２組の乳頭カップの少なくとも一つが乳頭カップマガジンに与えられている請求項１〜５のいずれか記載の装置。
【請求項７】  前記乳頭カップマガジンがリンス手段を与えられている請求項６記載の装置。
【請求項８】  搾乳メーターが第１組の乳頭カップのそれぞれの乳頭カップに弁を介して接続可能であり、各搾乳メーターが第２組の乳頭カップのそれぞれの乳頭カップに前記弁を介して接続可能であり、前記弁が第１組の乳頭カップの乳頭カップ及び第２組の乳頭カップの乳頭カップのいずれかを搾乳メーターにそれぞれ接続させることができる請求項１〜７のいずれか記載の装置。
【請求項９】  制御手段に反応して動物の乳頭に乳頭カップを自動的に取付けるための取付手段、及び前記制御手段と関連した動物識別手段をさらに含み、動物個体の各乳頭のサイズが前記制御手段のメモリーに記憶され、前記装置が前記第１及び第２組の乳頭カップのいずれかから少なくとも一つの乳頭カップを選択するように適応されている請求項１〜８のいずれか記載の装置。
【請求項１０】  前記取付手段がロボットアーム及び第１及び第２組の乳頭カップのいずれかから乳頭カップを選択的に掴むためのグリッパーを有するロボットを含む請求項９記載の装置。
【請求項１１】  前記取付手段が乳頭カップ識別手段を含む請求項９又は１０記載の装置。
【請求項１２】  前記乳頭カップ識別手段がレーザーリーダーを含み、前記乳頭カップの各々がバーコードを与えられる請求項１１記載の装置。
【請求項１３】  前記第１組の乳頭カップの乳頭カップが第１つめに接続可能であり、前記第２組の乳頭カップの乳頭カップが第２つめに接続可能である請求項１〜１２のいずれか記載の装置。
【請求項１４】  第１サイズ又は形状の少なくとも一つの乳頭カップ及び第２サイズ又は形状の少なくとも一つの乳頭カップを含む請求項１〜１３のいずれか記載の装置のための部品のキットであって、第１サイズ又は形状が第２サイズ又は形状とは異なるキット。
【請求項１５】  第１サイズの乳頭カップのための少なくとも一つのライナー及び第２サイズの乳頭カップのための少なくとも一つのライナーを含む請求項１〜１３のいずれか記載の装置のための部品のキットであって、第１サイズが第２サイズとは異なるキット。
【請求項１６】  少なくとも１組の乳頭カップを含む動物を搾乳するための装置であって、乳頭カップが延長され、各々が脈動空間を形成する可撓性ライナー及び硬質シェルを含み、前記ライナーが一端で乳頭を受け第２端で抽出された搾乳を出すように適応されている場合において、前記組の乳頭カップが第１サイズ又は形状の少なくとも一つの第１乳頭カップ及び第２サイズ又は形状の少なくとも一つの第２乳頭カップを含み、前記第１サイズ又は形状が前記第２サイズ又は形状とは異なることを特徴とする装置。
【請求項１７】  前記組の乳頭カップが第３サイズ又は形状の乳頭カップを含み、前記第３サイズ又は形状が前記第１及び第２サイズ又は形状とは異なる請求項１６記載の装置。
【請求項１８】  前記組の乳頭カップが第４サイズ又は形状の乳頭カップを含み、前記第４サイズ又は形状が前記第１，第２及び第３サイズ又は形状とは異なる請求項１６又は１７記載の装置。
【請求項１９】  前記装置が第１及び第２組の乳頭カップを含み、前記第１組の乳頭カップが第２組の乳頭カップとは異なる請求項１６〜１８のいずれか記載の装置。
【請求項２０】  前記装置が複数の組の乳頭カップを含み、各組が個々のサイズ及び形状の乳頭カップを有し、各個々の組の乳頭カップにおける前記乳頭カップが別の組の乳頭カップにおける前記乳頭カップとは異なる請求項１６〜１８のいずれか記載の装置。
【請求項２１】  前記組が複数の乳頭カップを含み、各乳頭カップが個々のサイズ又は形状を有する請求項１６記載の装置。
【手続補正書】
【提出日】平成18年7月7日(2006.7.7)
【手続補正１】
【補正対象書類名】明細書
【補正対象項目名】特許請求の範囲
【補正方法】変更
【補正の内容】
【特許請求の範囲】
【請求項１】  Ｅ１−Ｌn−Ｅ２およびＥ２−Ｌn−Ｅ１からなる群より選択される式を有するタンパク質融合物であって、
ここで、Ｅ１およびＥ２は、植物細胞において生合成経路の連続的反応を触媒し、リンカーＬnが、Ｅ１とＥ２またはＥ２とＥ１を連結するｎアミノ酸のペプチドである、タンパク質融合物。
【請求項２】  前記Ｅ１およびＥ２が、β−ケトチオラーゼ（ｐｈｂＡ）およびアシル−ＣｏＡレダクターゼ（ｐｈｂＢ）；ｐｈｂＢおよびｐｈｂＡ；ＰＨＡシンターゼ（ｐｈａＣ）およびファシン（ｐｈａＰ）；ｐｈａＰおよびｐｈａＣ（１Ｄ）；ｐｈａＣおよびβ−ヒドロキシアシル−ＡＣＰ：：コエンザイムＡトランスフェラーゼ（ｐｈｂＧ）；ｐｈｂＧおよびｐｈａＣ；ｐｈａＣおよびエノイル−ＣｏＡヒドラターゼ（ｐｈａＪ）；ならびにｐｈａＪおよびｐｈａＣからなる群より選択される、請求項１に記載の融合物。
【請求項３】  前記リンカーにおけるｎが、０アミノ酸と５０アミノ酸との間である、請求項１に記載の融合物。
【請求項４】  前記リンカーが、グリシン−セリンである、請求項１に記載の融合物。
【請求項５】  植物において発現される、請求項１に記載の融合物。
【請求項６】  細菌において発現される、請求項１に記載の融合物。
【請求項７】  Ｅ１−Ｌn−Ｅ２およびＥ２−Ｌn−Ｅ１からなる群より選択される式を有するタンパク質融合物コードする遺伝子であって、
ここで、Ｅ１およびＥ２は、各々が、β−ケトチオラーゼ、アシル−ＣｏＡレダクターゼ、ＰＨＡシンターゼ、ＰＨＢシンターゼ、ファシン、エノイル−ＣｏＡヒドラターゼ、およびβ−ヒドロキシアシル−ＡＣＰ：：コエンザイムＡトランスフェラーゼからなる群より選択され、ここでリンカーＬｎが、Ｅ１とＥ２またはＥ２とＥ１を連結するｎアミノ酸のペプチドである、遺伝子。
【請求項８】  前記Ｅ１およびＥ２が、β−ケトチオラーゼ（ｐｈｂＡ）およびアシル−ＣｏＡレダクターゼ（ｐｈｂＢ）；ｐｈｂＢおよびｐｈｂＡ；ＰＨＡシンターゼ（ｐｈａＣ）およびファシン（ｐｈａＰ）；ｐｈａＰおよびｐｈａＣ（１Ｄ）；ｐｈａＣおよびβ−ヒドロキシアシル−ＡＣＰ：：コエンザイムＡトランスフェラーゼ（ｐｈｂＧ）；ｐｈｂＧおよびｐｈａＣ；ｐｈａＣおよびエノイル−ＣｏＡヒドラターゼ（ｐｈａＪ）；ならびにｐｈａＪおよびｐｈａＣからなる群より選択される融合タンパク質をコードする、請求項７に記載の遺伝子。
【請求項９】  前記リンカーにおけるｎが、０アミノ酸と５０アミノ酸との間である、請求項７に記載の遺伝子。
【請求項１０】  前記リンカーが、グリシン−セリンである、請求項７に記載の遺伝子。
【請求項１１】  植物における発現のためのプロモーターを含む、請求項７に記載の遺伝子。
【請求項１２】  組織、プラスチド、または他の器官における発現に特異的なプロモーターを含む、請求項１１に記載の遺伝子。
【請求項１３】  調節可能なプロモーターを含む、請求項１１に記載の遺伝子。
【請求項１４】  ＲＮＡプロセシングシグナルまたはリボザイム配列をさらに含む、請求項７に記載の遺伝子。
【請求項１５】  前記Ｅ１およびＥ２が、β−ケトチオラーゼ、アシル−ＣｏＡレダクターゼ、ＰＨＡシンターゼ、ＰＨＢシンターゼ、ファシン、エノイル−ＣｏＡヒドラターゼ、およびβ−ヒドロキシアシル−ＡＣＰ：：コエンザイムＡトランスフェラーゼからなる群より選択される、請求項１に記載の融合物。
【請求項１６】  代謝経路を操作するための方法であって、該方法は、植物細胞において融合タンパク質を発現する工程を包含し、該融合タンパク質は、Ｅ１−Ｌn−Ｅ２およびＥ２−Ｌn−Ｅ１からなる群より選択される式を有し、ここで該Ｅ１およびＥ２は、生合成経路における連続反応を触媒し、リンカーＬｎが、Ｅ１とＥ２またはＥ２とＥ１を連結するｎアミノ酸のペプチドである、方法。
【請求項１７】  前記Ｅ１およびＥ２が、各々、β−ケトチオラーゼ、アシル−ＣｏＡレダクターゼ、ＰＨＡシンターゼ、ＰＨＢシンターゼ、ファシン、エノイル−ＣｏＡヒドラターゼ、およびβ−ヒドロキシアシル−ＡＣＰ：：コエンザイムＡトランスフェラーゼからなる群より選択される、請求項１７に記載の方法。
【請求項１８】  生合成経路を操作するための方法であって、該方法は、植物細胞において生化学的経路の複数の酵素活性を含む融合タンパク質を発現する工程を包含し、該融合タンパク質の第１の酵素活性は、該融合タンパク質の第２の酵素活性についての基質を生成する、方法。
【請求項１９】  前記融合タンパク質は、β−ケトチオラーゼ、アシル−ＣｏＡレダクターゼ、ＰＨＡシンターゼ、ＰＨＢシンターゼ、ファシン、エノイル−ＣｏＡヒドラターゼ、およびβ−ヒドロキシアシル−ＡＣＰ：：コエンザイムＡトランスフェラーゼからなる群より選択される、請求項１８に記載の方法。
【請求項２０】  リンカーＬｎは、前記融合タンパク質において互いから複数の酵素活性を分離し、ｎは、０〜５０個の間のアミノ酸である、請求項１８に記載の方法。
【請求項２１】  前記融合タンパク質は、バイオポリマーのモノマーを生成する、請求項１８に記載の方法。
【請求項２２】  生化学的経路の複数の酵素活性を含む融合タンパク質であって、該融合タンパク質の第１の酵素活性は、該融合タンパク質の第２の酵素活性についての基質を生成し、該融合タンパク質は、植物細胞においてモノマーを生成する、融合タンパク質。
【請求項２３】  前記融合タンパク質の前記第１酵素活性および第２の酵素活性は、リンカーによって分離される融合タンパク質の領域中に存在する、請求項２２に記載の方法。
【請求項２４】  前記リンカーはペプチドである、請求項２３に記載の融合タンパク質。
【請求項２５】  前記モノマーは、ポリエステルを形成するように重合する、請求項２１に記載の融合タンパク質。